(57)【要約】【課題】より的確に窓ガラスの曇りを抑制することのできる車両用空調装置を提供する。【解決手段】車両用空調装置１０は、空調ケースと、内外気切替ドア３４と、空調ＥＣＵ６０と、心拍計４３と、代謝量推定部６１とを備える。空調ケースは、車室内に空調用空気を導く空気通路を有する。内外気切替ドア３４は、外気導入率の変更により車室内の湿度を調整することが可能である。心拍計４３は、車室内の乗員の心拍数を検出する。代謝量推定部６１は、心拍計４３により検出される心拍数に基づいて車室内の乗員の代謝量を検出する。空調ＥＣＵ６０は、代謝量に基づいて内外気切替ドア３４を制御する。【選択図】図２
2018034705.tif 000002
【特許請求の範囲】
【請求項１】
車室内に空調用空気を導く空気通路を有する空調ケース（２０）と、
前記車室内の湿度を調整することの可能な湿度調整部（３２，３４，３５）と、
前記湿度調整部を制御する制御部（６０）と、
車室内の乗員の代謝量を検出する代謝量検出部（４３，４４，４５，４６，６１）と、を備え、
前記制御部は、
前記代謝量に基づいて前記湿度調整部を制御する
車両用空調装置。
【請求項２】
前記湿度調整部は、
外気吸込口から前記空気通路内に導入される車室外空気と、内気吸込口から前記空気通路内に導入される車室内空気との割合を変更することの可能な内外気切替部（３４）である
請求項１に記載の車両用空調装置。
【請求項３】
前記湿度調整部は、
前記空調用空気を冷却する冷却部（３２）、及び前記冷却部を通過する空調用空気の流量を調整する流量調整部（３５）の少なくとも一方である
請求項１に記載の車両用空調装置。
【請求項４】
前記代謝量検出部は、
車室内の乗員の生体情報を検出する生体情報検出部（４３，４４，４５，４６）と、
前記生体情報に基づいて前記代謝量を推定する代謝量推定部（６１）と、を有する
請求項１〜３のいずれか一項に記載の車両用空調装置。
【請求項５】
前記生体情報検出部は、
前記生体情報として、乗員の人数、体型、心拍数、表面温度、体重、身長、及び年齢の少なくとも一つを検出する
請求項４に記載の車両用空調装置。
【請求項６】
前記生体情報検出部は、
車両の各座席に着座している乗員の心拍数を個別に検出することの可能な心拍計（４３）であり、
前記代謝量推定部は、
前記心拍数に基づいて前記代謝量を推定する
請求項４に記載の車両用空調装置。
【請求項７】
前記生体情報検出部は、
車室内の乗員の表面温度を検出することの可能な赤外線センサ（４４）であり、
前記代謝量推定部は、
前記赤外線センサにより検出される前記表面温度に基づいて車室内の乗員の人数及び体型を推定するとともに、推定された乗員の人数及び体型、並びに乗員の表面温度に基づいて前記代謝量を推定する
請求項４に記載の車両用空調装置。
【請求項８】
前記生体情報検出部は、
車両の各座席に着座している乗員の有無、及び座席位置を検出することの可能なシートポジションセンサ（４５）であり、
前記代謝量推定部は、
前記シートポジションセンサにより検出される前記座席の乗員の有無に基づいて車室内の乗員の人数を検出するとともに、前記座席位置に基づいて乗員の体型を検出し、推定された乗員の人数及び体型に基づいて前記代謝量を推定する
請求項４に記載の車両用空調装置。
【請求項９】
前記生体情報検出部は、
乗員の体重、身長、及び年齢の少なくとも一つを登録可能な携帯端末との通信により乗員の体重、身長、及び年齢の少なくとも一つを取得する通信部（４６）であり、
前記代謝量推定部は、
前記通信部を介して取得される乗員の体重、身長、及び年齢の少なくとも一つに基づいて前記代謝量を推定する
請求項４に記載の車両用空調装置。
【発明の詳細な説明】
【技術分野】
【０００１】
本開示は、車両用空調装置に関する。
【背景技術】
【０００２】
近年、車両用空調装置では、車両の省燃費化を目的としたエンジンの高効率化により、特に冬季に暖房熱源不足が課題となっている。その対策として、例えば空調要件でエンジンを稼働させることにより、暖房熱源を確保することがある。このような実情により、冬季は暖房熱源の熱量を効率良く利用することが燃費向上の切り口となるため、換気損失低減を目的とした内気率を向上させる制御が重要となっている。一方、内気率を向上させると、車室内の湿度が上昇し易くなるため、窓ガラスに曇りが発生し易くなる。
【０００３】
こうした窓ガラスの曇りを抑制することの可能な車両用空調装置としては、特許文献１に記載の空調装置がある。特許文献１に記載の空調装置は、内外気切替手段と、ダンパ開度設定手段とを備えている。内外気切替手段は、外気導入口から導入される車室外空気と、内気導入口から導入される車室内空気との導入割合を変化させるダンパを備えている。ダンパ開度設定手段は、車両乗員の数が少ない場合にはダンパにより外気導入割合を小さく設定し、車両乗員の人数が多い場合にはダンパにより外気導入割合を大きく設定する。
【先行技術文献】
【特許文献】
【０００４】
【特許文献１】特許第３２３７３３１号公報
【発明の概要】
【発明が解決しようとする課題】
【０００５】
ところで、乗員の代謝量は各乗員により異なる。そのため、車両の乗員の数が同じであっても、複数の乗員の総代謝量は異なる。また、代謝量と発汗量との間には、代謝量の多い人ほど、発汗量が多いという相関関係がある。したがって、複数の乗員の総代謝量が多くなるほど、基本的には車室内の湿度が増加する傾向がある。そのため、特許文献１に記載の車両用空調装置のように、単に乗員の人数に応じて外気導入割合を変化させるだけでは、例えば代謝量の多い乗員が一乃至複数乗車しているような場合に、車室内の湿度の増加を抑制できない可能性がある。そのため、車両の窓ガラスに曇りを生じるおそれがある。
【０００６】
本開示は、こうした実情に鑑みてなされたものであり、その目的は、より的確に窓ガラスの曇りを抑制することのできる車両用空調装置を提供することにある。
【課題を解決するための手段】
【０００７】
上記課題を解決するために、車両用空調装置（１０）は、空調ケース（２０）と、湿度調整部（３２，３４，３５）と、制御部（６０）と、代謝量検出部（４３，４４，４５，４６，６１）とを備える。空調ケースは、車室内に空調用空気を導く空気通路を有する。湿度調整部は、車室内の湿度を調整することが可能である。制御部は、湿度調整部を制御する。代謝量検出部は、車室内の乗員の代謝量を検出する。制御部は、代謝量に基づいて湿度調整部を制御する。
【０００８】
この構成によれば、例えば代謝量の多い乗員が一乃至複数乗車しているような場合でも、その代謝量に応じて車室内の湿度が調整されるため、車室内の湿度の上昇を抑制することができる。よって、より的確に窓ガラスの曇りを抑制することができる。
【０００９】
なお、上記手段、及び特許請求の範囲に記載の括弧内の符号は、後述する実施形態に記載の具体的手段との対応関係を示す一例である。
【発明の効果】
【００１０】
本開示によれば、より的確に窓ガラスの曇りを抑制することのできる車両用空調装置を提供できる。
【図面の簡単な説明】
【００１１】
【図１】図１は、第１実施形態の車両用空調装置の構成を模式的に示す図である。
【図２】図２は、第１実施形態の車両用空調装置の電気的な構成を示すブロック図である。
【図３】図３は、第１実施形態の車両の座席の側面構造を示す側面図である。
【図４】図４は、第１実施形態の車両用空調装置により実行される処理の手順を示すフローチャートである。
【図５】図５は、第１実施形態の車両用空調装置で用いられる代謝量と外気導入率との関係を示すマップである。
【図６】図６は、第１実施形態の第１変形例の車両用空調装置の電気的な構成を示すブロック図である。
【図７】図７は、第１実施形態の第２変形例の車両用空調装置の電気的な構成を示すブロック図である。
【図８】図８は、第１実施形態の第３変形例の車両用空調装置の電気的な構成を示すブロック図である。
【図９】図９は、第２実施形態の車両用空調装置により実行される処理の手順を示すフローチャートである。
【発明を実施するための形態】
【００１２】
以下、車両用空調装置の一実施形態について図面を参照しながら説明する。説明の理解を容易にするため、各図面において同一の構成要素に対しては可能な限り同一の符号を付して、重複する説明は省略する。
【００１３】
図１に示されるように、本実施形態の車両用空調装置１０は、空調ケース２０と、空調ユニット３０とを備えている。空調装置１０は、車両のインストルメントパネルの内部に設けられている。
【００１４】
空調ケース２０の内部には、空気通路２１が形成されている。空気通路２１は、空調用空気を車室内に導く通路である。空調用空気は、車室内の温度を調整するための空気である。空気通路２１内では、図中に矢印Ｗ１で示される方向に空調用空気が流れる。
【００１５】
空調ケース２０における空気流れ方向Ｗ１の上流側の部分には、空気通路２１内に空気を取り込む部分として、外気吸込口２２と、内気吸込口２３とが形成されている。外気吸込口２２は、車室外空気である外気を空気通路２１内に取り込む部分である。内気吸込口２３は、車室内空気である内気を空気通路２１内に取り込む部分である。
【００１６】
空調ケース２０における空気流れ方向Ｗ１の下流側の部分には、デフロスタ吹出口２４と、フェイス吹出口２５と、フット吹出口２６とが形成されている。デフロスタ吹出口２４は、空調ケース２０内を流れる空調用空気を車両のフロントガラスの内面に向かって吹き出す。フェイス吹出口２５は、空調ケース２０内を流れる空調用空気を運転者又は助手席の乗員に向かって吹き出す。フット吹出口２６は、空調ケース２０内を流れる空調用空気を運転者又は助手席の乗員の足下に向かって吹き出す。
【００１７】
空調ユニット３０は、外気吸込口２２又は内気吸込口２３から空気通路２１に導入された空気を基に空調用空気を生成する。空調ユニット３０は、ファン装置３１と、エバポレータ３２と、ヒータコア３３とを備えている。
【００１８】
ファン装置３１は、外気吸込口２２及び内気吸込口２３の空気流れ方向Ｗ１の下流側に配置されている。ファン装置３１は、通電に基づき回転することにより空気通路２１内に空気流を発生させる。ファン装置３１の通電量の調整により、空気通路２１内を流れる空調用空気の風量が調整される。
【００１９】
エバポレータ３２は、ファン装置３１の空気流れ方向Ｗ１の下流側に配置されている。エバポレータ３２は、冷却装置の構成要素である。冷却装置は、いわゆる冷凍サイクルの構成を有しており、エバポレータ３２に加え、コンプレッサ、コンデンサ、及びエキスパンションバルブを有している。コンプレッサは、エバポレータ３２から吐出される冷媒を圧縮して吐出する。コンデンサは、コンプレッサから吐出される冷媒と外気との間で熱交換を行うことにより冷媒を放熱させて冷却し、冷却された冷媒を吐出する。エキスパンションバルブは、コンデンサから吐出される冷媒を膨張させて減圧し、減圧された冷媒を吐出する。エバポレータ３２は、エキスパンションバルブから吐出される冷媒と、空気通路２１内を流れる空調用空気との間で熱交換を行うことにより、冷媒を蒸発させて気化させる。エバポレータ３２は、冷媒が気化する際の気化熱を利用して空気通路２１内の空調用空気を冷却する機能、及び空気通路２１内の空調用空気を除湿する機能を有している。本実施形態では、エバポレータ３２が冷却部に相当する。
【００２０】
ヒータコア３３は、エバポレータ３２の空気流れ方向Ｗ１の下流側に配置されている。ヒータコア３３は、エンジンとの間で循環するエンジン冷却水を熱源として空気通路２１内の空調用空気を加熱する。
【００２１】
空調ユニット３０は、内外気切替ドア３４と、エアミックスドア３５と、吹出口切替ドア３６とを更に備えている。
【００２２】
内外気切替ドア３４は、外気吸込口２２及び内気吸込口２３を開閉することにより、空気通路２１内に取り込まれる空気を外気又は内気に切り替える。また、内外気切替ドア３４は、外気吸込口２２から空気通路２１内に導入される外気と、内気吸込口２３から空気通路２１内に導入される内気との割合を変更することが可能である。本実施形態では、内外気切替ドア３４が内外気切替部に相当する。
【００２３】
エアミックスドア３５は、ヒータコア３３を通過する空気の風量と、ヒータコア３３を迂回する空気の風量との比率を調整する。エアミックスドア３５の開度により、ヒータコア３３を通過する空気の流量と、ヒータコア３３を迂回する空気の流量との比率が調整されることで、空調用空気の温度が調整される。本実施形態では、エアミックスドア３５が流量調整部に相当する。
【００２４】
吹出口切替ドア３６は、デフロスタ吹出口２４、フェイス吹出口２５、及びフット吹出口２６をそれぞれ開閉する。
【００２５】
空調ケース２０内で生成された空調用空気は、吹出口２４〜２６のうち、開状態の吹出口から車室内に向けて吹き出される。
【００２６】
次に、空調装置１０の電気的な構成について説明する。
図２に示されるように、空調装置１０は、内気温センサ４０と、外気温センサ４１と、日射量センサ４２と、心拍計４３と、操作部５０と、空調ＥＣＵ（Electronic Control Unit）６０とを備えている。
【００２７】
内気温センサ４０は、車室内の温度である内気温を検出するとともに、検出された内気温に応じた信号を出力する。外気温センサ４１は、車室外の温度である外気温を検出するとともに、検出された外気温に応じた信号を出力する。日射量センサ４２は、日射量を検出するとともに、検出された日射量に応じた信号を出力する。
【００２８】
心拍計４３は、車室内の各乗員の心拍数を検出する。具体的には、図３に示されるように、心拍計４３は、車両の各座席７０の背もたれ部７１に設けられている。したがって、車両には、座席の数と同じ数の心拍計４３が設けられている。座席７０には、運転席、助手席、後部座席等が含まれる。心拍計４３は、座席７０に乗員が着座している場合、その乗員の心拍数を検出するとともに、検出された心拍数に応じた信号を出力する。本実施形態では、心拍計４３が、車室内の乗員の生体情報を検出する生体情報検出部に相当する。
【００２９】
操作部５０は、空調装置１０の各種操作を行う際に車両乗員により操作される部分である。操作部５０は、温度設定スイッチ５１、内気スイッチ５２、外気スイッチ５３、吹出口切替スイッチ５４、及びエアコンスイッチ５５等を有している。以下では、便宜上、エアコンスイッチ５５を「Ａ／Ｃスイッチ」と略記する。
【００３０】
温度設定スイッチ５１は、車室内の空調温度を設定する際に操作される。内気スイッチ５２は、空気通路２１内に取り込まれる空気を内気に設定する際に操作される。外気スイッチ５３は、空気通路２１内に取り込まれる空気を外気に設定する際に操作される。吹出口切替スイッチ５４は、デフロスタ吹出口２４、フェイス吹出口２５、及びフット吹出口２６のいずれから空調用空気を吹き出すかを選択する際に操作される。Ａ／Ｃスイッチ５５は、冷却装置３７による空調用空気の冷却の実行及び停止を切り替える際に操作される。冷却装置３７は、上述の通り、エバポレータ３２、コンプレッサ、コンデンサ、及びエキスパンションバルブにより構成される装置である。操作部５０は、これらのスイッチ５１〜５５の操作情報に応じた信号を出力する。
【００３１】
空調ＥＣＵ６０は、空調装置１０を統括的に制御する。空調ＥＣＵ６０は、ＣＰＵやＲＯＭ、ＲＡＭ等を有するマイクロコンピュータを中心に構成されている。ＣＰＵは、空調装置１０の各種制御に関する演算処理を実行する。ＲＯＭには、空調装置１０の各種制御に必要なプログラムやデータ等が記憶されている。ＲＡＭには、ＣＰＵの演算結果等が一時的に記憶される。本実施形態では、空調ＥＣＵ６０が制御部に相当する。
【００３２】
詳しくは、空調ＥＣＵ６０には、内気温センサ４０、外気温センサ４１、日射量センサ４２、心拍計４３、及び操作部５０のそれぞれの出力信号が取り込まれている。空調ＥＣＵ６０は、これらの情報に基づいて外気温、内気温、日射量、各座席の乗員の心拍数、及び操作部５０に対する操作情報を取得する。空調ＥＣＵ６０は、これらの情報に基づいて、ファン装置３１、内外気切替ドア３４、エアミックスドア３５、吹出口切替ドア３６、及び冷却装置３７を制御する。
【００３３】
例えば、空調ＥＣＵ６０は、操作部５０の温度設定スイッチ５１に入力された設定温度、内気温、外気温、及び日射量に基づいて、目標吹出温度を演算する。空調ＥＣＵ６０は、演算された目標吹出温度に基づいてファン装置３１の風量及びエアミックスドア３５の開度を演算するとともに、それらの演算値に基づいてファン装置３１の回転速度、エアミックスドア３５の開度、及び冷却装置３７を制御する空調制御を実行する。
【００３４】
空調ＥＣＵ６０は、操作部５０の内気スイッチ５２がオン操作された場合には、空気通路２１に内気が取り込まれるように内外気切替ドア３４の開度を制御する。空調ＥＣＵ６０は、操作部５０の外気スイッチ５３がオン操作された場合には、空気通路２１に外気が取り込まれるように内外気切替ドア３４の開度を制御する。なお、空調ＥＣＵ６０は、内気スイッチ５２及び外気スイッチ５３のいずれも操作されていない場合には、空調制御において内外気切替ドア３４の開度を自動的に制御する。
【００３５】
空調ＥＣＵ６０は、吹出口切替スイッチ５４の操作情報に基づいて吹出口切替ドア３６の開度を制御することにより、デフロスタ吹出口２４、フェイス吹出口２５、及びフット吹出口２６のうちの一乃至複数の吹出口から空調用空気を吹き出す。なお、空調ＥＣＵ６０は、吹出口切替スイッチ５４が操作されていない場合には、空調制御において吹出口切替ドア３６の開度を自動的に制御する。
【００３６】
空調ＥＣＵ６０は、Ａ／Ｃスイッチ５５がオン操作されている場合には、冷却装置３７を駆動させる。空調ＥＣＵ６０は、Ａ／Ｃスイッチ５５がオフ操作されている場合には、冷却装置３７を停止させる。
【００３７】
空調ＥＣＵ６０は、代謝量推定部６１を有している。代謝量推定部６１は、心拍計４３により検出される各座席の乗員の心拍数に基づいて各座席の乗員の代謝量を推定する。このように、本実施形態では、心拍計４３及び代謝量推定部６１が代謝量検出部として機能する。空調ＥＣＵ６０は、推定された乗員の代謝量に基づいて内外気切替ドア３４の開度を調整する。具体的には、空調ＥＣＵ６０は、図４に示される処理を実行する。
【００３８】
図４に示されるように、空調ＥＣＵ６０は、まず、ステップＳ１０として、強制的に外気を導入する状態であるか否かを判断する。具体的には、空調ＥＣＵ６０は、操作部５０の外気スイッチ５３がオン操作されている場合には、強制的に外気を導入する状態であると判断する。この場合、空調ＥＣＵ６０は、ステップＳ１０で肯定判断する。空調ＥＣＵ６０は、ステップＳ１０で肯定判断した場合には、ステップＳ１６として、外気導入率を「１００［％］」に設定する。
【００３９】
空調ＥＣＵ６０は、ステップＳ１０において、操作部５０の外気スイッチ５３がオン操作されていない場合には、強制的に外気を導入する状態でないと判断する。この場合、空調ＥＣＵ６０は、ステップＳ１０で否定判断する。空調ＥＣＵ６０は、ステップＳ１０で否定判断した場合には、ステップＳ１１として、強制的に内気を導入する状態であるか否かを判断する。具体的には、空調ＥＣＵ６０は、操作部５０の内気スイッチ５２がオン操作されている場合には、強制的に内気を導入する状態であると判断する。この場合、空調ＥＣＵ６０は、ステップＳ１１で肯定判断する。空調ＥＣＵ６０は、ステップＳ１１で肯定判断した場合には、ステップＳ１５として、外気導入率を「０［％］」に設定する。
【００４０】
空調ＥＣＵ６０は、ステップＳ１１において、操作部５０の内気スイッチ５２がオン操作されていない場合には、強制的に内気を導入する状態でないと判断する。この場合、空調ＥＣＵ６０は、ステップＳ１１で否定判断する。空調ＥＣＵ６０は、ステップＳ１１で否定判断した場合には、ステップＳ１２として、車室内の乗員の代謝量を推定する。
【００４１】
具体的には、乗員の心拍数と代謝量との間には、基本的には、心拍数が増加するほど、代謝量が増加するという相関関係がある。本実施形態では、心拍数と代謝量との関係が予め実験等により計測されるとともに、その計測結果に基づくマップが空調ＥＣＵ６０のＲＯＭに記憶されている。代謝量推定部６１は、心拍計４３により車両の各座席に着座している乗員の心拍数を個別に検出するとともに、検出された各乗員の心拍数からマップを用いて各乗員の代謝量を個別に推定する。空調ＥＣＵ６０は、各乗員の代謝量の総計を演算し、演算された代謝量の総計を車室内の乗員の代謝量として用いる。
【００４２】
空調ＥＣＵ６０は、ステップＳ１２に続いてステップＳ１３を実行する。すなわち、空調ＥＣＵ６０は、ステップＳ１２で演算された車室内の乗員の代謝量に基づいて外気導入率を演算する。具体的には、空調ＥＣＵ６０のＲＯＭには、代謝量と外気導入率との関係を示す図５に示されるようなマップが予め記憶されている。図５に示されるように、このマップは、代謝量が大きくなるほど、外気導入率が大きくなるように設定されている。
【００４３】
空調ＥＣＵ６０は、ステップＳ１３，Ｓ１５，Ｓ１６のいずれかを実行した後、ステップＳ１４を実行する。すなわち、空調ＥＣＵ６０は、演算された外気導入率に基づいて内外気切替ドア３４の開度を調整する内外気制御を実行する。
【００４４】
具体的には、空調ＥＣＵ６０は、外気導入率が「１００［％］」である場合には、空気通路２１内に外気のみが導入されるように内外気切替ドア３４の開度を制御する。すなわち、空調ＥＣＵ６０は、外気吸込口２２が全開状態となり、且つ内気吸込口２３が全閉状態となるように内外気切替ドア３４を制御する。また、空調ＥＣＵ６０は、外気導入率が「０［％］」である場合には、空気通路２１内に内気のみが導入されるように内外気切替ドア３４の開度を制御する。すなわち、空調ＥＣＵ６０は、外気吸込口２２が全閉状態となり、且つ内気吸込口２３が全開状態となるように内外気切替ドア３４を制御する。さらに、空調ＥＣＵ６０は、外気導入率が「０［％］」から「１００［％］」までの範囲の値である場合には、その値に応じた開度となるように外気吸込口２２の開度を調整する。
【００４５】
空調ＥＣＵ６０は、ステップＳ１４を実行した後、ステップＳ１０に戻り、図４に示される処理を繰り返し実行する。
【００４６】
以上説明した本実施形態の車両用空調装置１０によれば、以下の（１）〜（３）に示される作用及び効果を得ることができる。
【００４７】
（１）乗員の代謝量と発汗量との間には、代謝量が多い人ほど、発汗量が多いという相関関係がある。したがって、例えば代謝量の多い乗員が一乃至複数乗車しているような場合には、車室内の湿度が上がり易くなるため、窓ガラスに曇りが発生し易くなる。このような状況において、本実施形態の空調装置１０では、車両の乗員の代謝量が多い場合、外気導入率が大きくなる。すなわち、車室内に取り込まれる空調用空気における外気の割合が大きくなるため、車室内の湿度の上昇が抑制される。このように、本実施形態の車両用空調装置１０では、車両の乗員の代謝量に応じて車室内の湿度が調整されるため、車室内の湿度の上昇を効果的に抑制することができる。これにより、車室内の乗員の人数のみに応じて外気の割合を変化させる従来の車両用空調装置と比較すると、より適切に車室内の湿度を調整することができる。よって、より的確に窓ガラスの曇りを抑制することができる。
【００４８】
（２）車室内の湿度を調整することの可能な湿度調整部として、内外気切替ドア３４を用いることとした。これにより、外気導入率を変化させるという簡便な方法で車室内の湿度を調整することができるため、例えば冷却装置３７の除湿機能を用いて車室内の湿度を調整する方法を用いる場合と比較すると、消費電力を低減することができる。
【００４９】
（３）車室内の乗員の代謝量を検出する代謝量検出部は、心拍計４３と、代謝量推定部６１とにより構成されている。心拍計４３は、車室内の乗員の生体情報、具体的には各座席に着座している乗員の心拍数を個別に検出する。代謝量推定部６１は、心拍計４３により検出される各座席の乗員の心拍数に基づいて車室内の乗員の代謝量を推定する。これにより、車室内の乗員の代謝量を容易に検出することができる。
【００５０】
（第１変形例）
次に、第１実施形態の車両用空調装置１０の第１変形例について説明する。
図６に示されるように、本変形例の空調装置１０は、心拍計４３に代えて、赤外線センサ４４を備えている。赤外線センサ４４は、車室内の複数の乗員の表面温度を非接触で検出する。赤外線センサ４４としては、例えば乗員の表面温度をピクセル情報で検出するマトリクスＩＲセンサを用いることができる。
【００５１】
空調ＥＣＵ６０の代謝量推定部６１は、図４のステップＳ１２において、赤外線センサ４４により検出される乗員の表面温度を表す熱画像に基づいて、車室内の人数及び体型を検出する。例えば、代謝量推定部６１は、赤外線センサ４４により得られた熱画像における熱源の集合の数に基づいて車室内の乗員の人数を検出するとともに、熱源の集合の大きさに基づいて乗員の体型を検出する。そして、代謝量推定部６１は、検出された車室内の人数及び体型、並びに乗員の表面温度に基づいて各乗員の代謝量を個別に推定するとともに、推定された各乗員の代謝量の総計を演算することにより、車両の乗員の代謝量を推定する。
【００５２】
このように赤外線センサ４４を生体情報検出部として利用した場合でも、車室内の乗員の代謝量を容易に検出することができる。
【００５３】
（第２変形例）
次に、第１実施形態の車両用空調装置１０の第２変形例について説明する。
図７に示されるように、本変形例の空調装置１０は、心拍計４３に代えて、シートポジションセンサ４５を備えている。シートポジションセンサ４５は、車両の座席に着座している乗員の有無、及び座席位置を検出する。
【００５４】
空調ＥＣＵ６０の代謝量推定部６１は、図４のステップＳ１２において、シートポジションセンサ４５により検出される座席の乗員の有無に基づいて車室内の乗員の人数を検出する。また、代謝量推定部６１は、シートポジションセンサ４５により検出される座席位置に基づいて乗員の体型を検出する。そして、代謝量推定部６１は、検出された車室内の乗員の人数及び体型に基づいて車室内の乗員の代謝量を推定する。
【００５５】
このようにシートポジションセンサ４５を生体情報検出部として利用した場合でも、車室内の乗員の代謝量を容易に検出することができる。
【００５６】
（第３変形例）
次に、第１実施形態の車両用空調装置１０の第３変形例について説明する。
図８に示されるように、本変形例の空調装置１０は、心拍計４３に代えて、通信部４６を有している。通信部４６は、車両の乗員が所持する携帯端末と無線通信を行う部分である。携帯端末は、乗員の体重、身長、及び年齢の少なくとも一つの情報を登録可能な機能を有している。
【００５７】
空調ＥＣＵ６０の代謝量推定部６１は、図４のステップＳ１２において、通信部４６を介して携帯端末と無線通信を行うことにより、乗員の体重、身長、及び年齢の少なくとも一つの情報を取得する。代謝量推定部６１は、取得した体重、身長、及び年齢の少なくとも一つの情報に基づいて車室内の乗員の代謝量を推定する。
【００５８】
このように通信部４６を生体情報検出部として利用した場合でも、車室内の乗員の代謝量を容易に検出することができる。
【００５９】
＜第２実施形態＞
次に、車両用空調装置１０の第２実施形態について説明する。以下、第１実施形態との相違点を中心に説明する。
【００６０】
本実施形態の車両用空調装置１０は、車室内の湿度を調整する湿度調整部として、内外気切替ドア３４に代えて、エアミックスドア３５及び冷却装置３７のエバポレータ３２を用いる点で第１実施形態の空調装置１０と異なる。
【００６１】
具体的には、本実施形態の空調ＥＣＵ６０は、図９に示されるように、まず、ステップＳ２０として、Ａ／Ｃスイッチ５５がオン操作されているか否かを判断する。空調ＥＣＵ６０は、Ａ／Ｃスイッチ５５がオフ操作されている場合には、ステップＳ２０で否定判断し、ステップＳ２３として、除湿率を「０［％］」に設定する。
【００６２】
空調ＥＣＵ６０は、Ａ／Ｃスイッチ５５がオン操作されている場合には、ステップＳ２０で肯定判断し、ステップＳ１２として、車両の乗員の代謝量を推定する。また、空調ＥＣＵ６０は、ステップＳ１２に続いてステップＳ２１を実行する。すなわち、空調ＥＣＵ６０は、ステップＳ１２で演算された車両の乗員の代謝量に基づいて除湿率を演算する。具体的には、空調ＥＣＵ６０のＲＯＭには、代謝量と除湿率との関係を示すマップが予め記憶されている。このマップは、代謝量が大きくなるほど、除湿率が大きくなるように設定されている。
【００６３】
空調ＥＣＵ６０は、ステップＳ２１，Ｓ２３のいずれかを実行した後、ステップＳ２２を実行する。すなわち、空調ＥＣＵ６０は、エアミックスドア３５の開度及び冷却装置３７を制御することにより、演算された除湿率に車室内の湿度を調整する除湿制御を実行する。
【００６４】
空調ＥＣＵ６０は、ステップＳ２２を実行した後、ステップＳ２０に戻り、図９に示される処理を所定の周期で繰り返し実行する。
【００６５】
以上説明した本実施形態の車両用空調装置１０によれば、上記の（１），（３）に示される作用及び効果に加え、以下の（４）に示される作用及び効果を得ることができる。
【００６６】
（４）車室内の湿度を調整することの可能な湿度調整部として、エアミックスドア３５及びエバポレータ３２を用いることとした。これにより、より的確に車室内の湿度を調整することができるため、窓ガラスの曇りを一層抑制することができる。
【００６７】
＜他の実施形態＞
なお、各実施形態は、以下の形態にて実施することもできる。
・第２実施形態の空調ＥＣＵ６０は、図９に示されるステップＳ２２の処理において、エアミックスドア３５の開度及び冷却装置３７のいずれか一方だけを制御してもよい。
【００６８】
・第２実施形態の空調装置１０は、第１実施形態の第１〜第３変形例の構成を用いてもよい。
【００６９】
・車室内の乗員の生体情報を検出する生体情報検出部は、心拍計４３や赤外線センサ４４等に限らず、適宜変更可能である。生体情報検出部は、生体情報として、乗員の人数、体型、心拍数、表面温度、体重、身長、及び年齢の少なくとも一つを検出するものであればよい。例えば、車室内に設けられたカメラにより車室内を撮像し、撮像された画像データを解析することにより車室内の乗員の人数や体型等を検出してもよい。
【００７０】
・車室内の乗員の代謝量を検出する代謝量検出部の構成は、心拍計４３等の生体情報検出部と代謝量推定部６１とを有する構成に限らず、適宜変更可能である。
【００７１】
・空調ＥＣＵ６０が提供する手段及び／又は機能は、実体的な記憶装置に記憶されたソフトウェア及びそれを実行するコンピュータ、ソフトウェアのみ、ハードウェアのみ、あるいはそれらの組み合わせにより提供することができる。例えば空調ＥＣＵ６０がハードウェアである電子回路により提供される場合、それは多数の論理回路を含むデジタル回路、またはアナログ回路により提供することができる。
【００７２】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００７３】
１０：車両用空調装置
２０：空調ケース
３２：エバポレータ（冷却部，湿度調整部）
３４：内外気切替ドア（内外気切替部，湿度調整部）
３５：エアミックスドア（流量調整部，湿度調整部）
４３：心拍計（生体情報検出部，代謝量検出部）
４４：赤外線センサ（生体情報検出部，代謝量検出部）
４５：シートポジションセンサ（生体情報検出部，代謝量検出部）
４６：通信部（生体情報検出部，代謝量検出部）
６０：空調ＥＣＵ（制御部）
６１：代謝量推定部（代謝量検出部）
【図１】
2018034705.tif 000003
【図２】
2018034705.tif 000004
【図３】
2018034705.tif 000005
【図４】
2018034705.tif 000006
【図５】
2018034705.tif 000007
【図６】
2018034705.tif 000008
【図７】
2018034705.tif 000009
【図８】
2018034705.tif 000010
【図９】
2018034705.tif 000011